(57)【要約】【課題】簡単に注射針を注射筒から外して回収できる注射針回収容器を提供すること。【解決手段】本考案の注射針回収容器１は、注射針６０と注射筒６４を備えた注射器６の使用後に、注射針６０を注射筒６４から分離して回収する注射針回収容器１であって、容器本体２と、容器本体２の開口を閉塞する蓋体３と、を有し、蓋体３が、細長にのびるスリット３２と、スリット３２の長さ方向の一端部に形成された、注射針６０が挿入される挿入孔３３と、蓋体３のスリット３２の幅方向の端部に設けられた、スリット３２の一端側から他端側に向かうにつれて上面からの突出量が増大するように形成され、挿入孔３３に注射針６０が挿入された状態でスリット３２の一端側から他端側に向けて注射器６が変位したときに、注射筒６４と注射針６０のフランジ６３との間に介在して、注射筒６４と注射針６０の間隔を広げて分離する傾斜部３４と、を備える。そして、傾斜部３４は、その上面に凹凸が形成されている。【選択図】図３
0003232199.tif 000002
【実用新案登録請求の範囲】
【請求項１】
先端部に針管を固定するとともに基端部にフランジが形成された筒状の針基を有する注射針と、前記針基に着脱可能に嵌入する先端部を有する注射筒と、を備えた注射器の使用後に、前記注射針を前記注射筒から分離して回収する注射針回収容器であって、
前記注射針回収容器は、槽状の容器本体と、前記容器本体の開口を閉塞する蓋体と、を有し、
前記蓋体は、
細長にのびるスリットと、
前記スリットの長さ方向の一端部に形成された、前記注射針が挿入される挿入孔と、
前記蓋体の前記スリットの幅方向の端部に設けられた、前記スリットの一端側から他端側に向かうにつれて上面からの突出量が増大するように形成され、前記挿入孔に前記注射針が挿入された状態で前記スリットの一端側から他端側に向けて前記注射器が変位したときに、前記注射筒と前記注射針の前記フランジとの間に介在して、前記注射筒と前記注射針の間隔を広げて分離する傾斜部と、
を備え、
前記傾斜部は、その上面に凹凸が形成されていることを特徴とする注射針回収容器。
【請求項２】
前記傾斜部の前記凹凸は、変位方向に沿って配列した断面三角形状の複数の突起よりなる請求項１記載の注射針回収容器。
【請求項３】
前記突起は、その断面三角形状が、一端側の辺が他端側の辺よりも長い形状に形成されている請求項２記載の注射針回収容器。
【請求項４】
前記容器本体は、その下面に滑り止め部材が形成されている請求項１〜３のいずれか１項に記載の注射針回収容器。
【請求項５】
前記滑り止め部材は、粘着テープである請求項４記載の注射針回収容器。
【請求項６】
前記蓋体は、更に、注射針が注射筒の先端部に螺合して固定されるスクリュー式注射器の前記注射針を前記注射筒から分離するスクリュー式注射針分離機構を有する請求項１〜５のいずれか１項に記載の注射針回収容器。
【請求項７】
前記スクリュー式注射器は、先端部に針管を固定するとともに基端部に非円形の外周形状のフランジが形成された筒状の針基を有する注射針と、前記針基に着脱可能に螺合する先端部を有する注射筒と、を備え、
スクリュー式注射針分離機構は、前記蓋体に開口した、前記フランジの外周形状に対応した非円形の内周形状を有する第２挿入孔を有し、
前記スクリュー式注射器の使用後に、前記スクリュー式注射器のフランジが前記第２挿入孔の内周面に当接可能な状態で、前記スクリュー式注射器を回転して前記注射針を分離する請求項６記載の注射針回収容器。
【請求項８】
前記蓋体は、切り離されて前記注射器が挿入する孔を閉塞するキャップとなる部分を備えたキャップ部を有する請求項１〜６のいずれか１項に記載の注射針回収容器。
【考案の詳細な説明】
【技術分野】
【０００１】
本考案は、使用済みの注射針を回収する注射針回収容器に関する。
【背景技術】
【０００２】
病院や診療所では、多くの注射器が用いられている。注射器は、注射筒と注射針とからなるものが広く使われている。使用後の注射器（注射針）をそのまま廃棄すると、廃棄処理中に鋭利な針先で指先を刺す等の事故が発生する危険がある。このような事故は、けがだけでなく、二次感染を招くおそれがある。
【０００３】
通常、注射器から注射針を取り外し、注射針を専用の容器に封入して廃棄する。そのため、注射筒と注射針とを分離する機構を備えた注射針回収容器が提案されている（例えば、特許文献１）。
【０００４】
特許文献１には、針回収容器の面板に細長の針取外し孔（スリット）を設け、該針取外し孔の左右縁部にて注射器の外筒端面（注射筒の端面）と注射針の差込ヘッド端面（針基の端面）間の間隔に介入する針ガイド（傾斜部）を形成し、該針ガイド（傾斜部）を針取外し孔（スリット）の一端から他端へテーパ形にし、該テーパ形針ガイドのテーパに従い上記間隔への介入を行なって注射針を取外し容器内へ落下させるように構成した注射針離脱回収器（注射針回収容器）が開示されている。
【０００５】
この従来の注射針回収容器は、スリットに注射器の注射針を挿入した状態で、差し込んだ注射器を細長のスリットに沿って変位させることにより、テーパ形状の傾斜部が注射針と注射筒との間隔を広げ、間隔が十分に広がると注射針が外れ、外れた注射針を回収する。
【先行技術文献】
【特許文献】
【０００６】
【特許文献１】特開平４−９６７６３号公報
【考案の概要】
【考案が解決しようとする課題】
【０００７】
従来の注射針回収容器は、注射器を細長のスリットに沿って変位させて、テーパ形状の傾斜部が注射針と注射筒との間に介在して両者の間隔を広げる。このとき、注射器には大きな力を継続して加える必要がある。具体的には、従来の針回収容器は、注射針と注射筒との間に傾斜部を相対的に挿入して両者の間隔を広げる構成を有しており、相対的に傾斜部を挿入するときに大きな力が必要となっている。
【０００８】
また、注射器と傾斜部との当接面のいずれもが滑らかに形成されており、注射器をスリットに沿って変位させたときに当接面が滑ることで注射器から傾斜部が外れて傾斜部が介在できなくなるおそれがあった。このため、注射器が滑らないように、大きな力を加え続ける必要があった。
【０００９】
本考案は上記実情に鑑みてなされたものであり、簡単に注射針を注射筒から外して回収できる注射針回収容器を提供することを課題とする。
【課題を解決するための手段】
【００１０】
上記課題を解決する本考案の注射針回収容器は、先端部に針管を固定するとともに基端部にフランジが形成された筒状の針基を有する注射針と、前記針基に着脱可能に嵌入する先端部を有する注射筒と、を備えた注射器の使用後に、前記注射針を前記注射筒から分離して回収する注射針回収容器であって、前記注射針回収容器は、槽状の容器本体と、前記容器本体の開口を閉塞する蓋体と、を有し、前記蓋体は、細長にのびるスリットと、前記スリットの長さ方向の一端部に形成された、前記注射針が挿入される挿入孔と、前記蓋体の前記スリットの幅方向の端部に設けられた、前記スリットの一端側から他端側に向かうにつれて上面からの突出量が増大するように形成され、前記挿入孔に前記注射針が挿入された状態で前記スリットの一端側から他端側に向けて前記注射器が変位したときに、前記注射筒と前記注射針の前記フランジとの間に介在して、前記注射筒と前記注射針の間隔を広げて分離する傾斜部と、を備え、前記傾斜部は、その上面に凹凸が形成されていることを特徴とする。
【００１１】
本考案の注射針回収容器は、注射筒と注射針との間に介在して、注射筒と注射針の間隔を広げて分離する傾斜部の上面に凹凸を形成している。このため、スリットに沿って注射器が変位して傾斜部が注射筒と注射針との間に介在したときに、注射筒の端面が傾斜部の上面に対して滑ることが抑えられる。そうすると、スリットに沿って注射器を変位させるときに力を加え続けなくてもよくなる。この結果、本考案の注射針回収容器は、簡単に注射針を注射筒から外して回収できる。
【図面の簡単な説明】
【００１２】
【図１】実施形態１の注射針回収容器の構成を示す斜視図である。
【図２】実施形態１の注射針回収容器の上面図である。
【図３】実施形態１の注射針回収容器の断面図である。
【図４】実施形態１の注射針回収容器の拡大断面図である。
【図５】注射器の構成を示す図である。
【図６】実施形態１の注射針回収容器の注射針分離機構での動作を示す断面図である。
【図７】実施形態１の注射針回収容器の注射針分離機構での動作を示す断面図である。
【図８】スクリュー式注射器の構成を示す構成図である。
【図９】スクリュー式注射器のフランジを示す上面図である。
【図１０】実施形態１のスクリュー式注射針分離機構での動作を示す上面図である。
【図１１】実施形態１のスクリュー式注射針分離機構での動作を示す断面図である。
【考案を実施するための形態】
【００１３】
以下、本考案の注射針回収容器について、実施の形態を用いて具体的に説明する。
【００１４】
［実施形態１］
本形態の注射針回収容器１は、注射器６の使用後に、注射針６０を注射器６（注射筒６４）から分離して回収する容器である。
【００１５】
本形態の注射針回収容器１は、図１〜図４に示すように、容器本体２と、蓋体３と、スクリュー式注射針分離機構４と、キャップ部５と、を有する。図１は、本形態の注射針回収容器１の構成を示す斜視図である。図２は、本形態の注射針回収容器１の上面図である。図３は、図２中のＩＩＩ−ＩＩＩ線での断面図である。図４は、本形態の傾斜部の構成を示す拡大断面図である。
【００１６】
容器本体２は、上部が開口した槽状の容器である。容器本体２は、取り外した注射針を収容できる形状であれば、その具体的な形状が限定されない。本形態の容器本体２は、開口部が長方形の略直方体形状の外形を有する。なお、本形態では、開口部が長方形状であるが、正方形状であっても、多角形状であっても、円形（真円形〜だ円形）の形状であっても、いずれでもよい。また、方形形状や多角形状である場合、その角部がＲ形状（角部が丸められた形状）であってもよい。
【００１７】
容器本体２は、槽状の容器の下面２ｂに、滑り止め部材２０が設けられている。本形態の滑り止め部材２０は、脱着可能な低粘着性の両面粘着テープである。滑り止め部材２０の両面粘着テープは、容器本体２を載置する載置面に対して低粘着性であり、容器本体２の下面２ｂに対しては強粘着性のテープである（すなわち、両面粘着テープは容器本体２の下面２ｂに強固に接合している）。本形態では、長方形状の長辺方向の両端側のそれぞれに、短辺方向に沿って両面粘着テープが固定されている。
【００１８】
容器本体２は、取り外した注射針６０を保持できる形状であれば、その材料等も限定されない。例えば、取り外した注射針６０の針管６２が貫通しない樹脂や金属等の材料をあげることができる。容器本体２は、取り外して回収した注射針６０を視認できる材料であること、すなわち半透明〜透明の樹脂よりなることが好ましい。透明の樹脂（例えば、ＰＭＭＡ（アクリル）、ＰＥＴ（ポリエチレンテレフタレート）、ＰＣ（ポリカーボネート）等）よりなることがより好ましい。
【００１９】
蓋体３は、容器本体２の上部の開口部を閉塞する部材である。蓋体３は、板状部３０と、外周部３６と、が一体に形成されている。
板状部３０は、容器本体２の開口部を閉塞する平板状の部分である。板状部３０は、容器本体２の開口部と略一致する外周形状をもつ。本形態の板状部３０は、略長方形状を有する。
【００２０】
外周部３６は、板状部３０の端部から下方に伸びる筒状の部分である。外周部３６は、蓋体３が容器本体２の開口部を閉塞したときに、容器本体２の上端部が内挿される。外周部３６の内周面は、容器本体２の上端部の外周面と略一致する。外周部３６は、その下方側の端部に、注射針分離機構３１のスリット３２（及び第１挿入孔３３）、又はスクリュー式注射針分離機構４の第２挿入孔４０を閉塞する蓋体となるキャップ部５（キャップ５０，５２）を有する。
【００２１】
板状部３０は、注射針分離機構３１、及びスクリュー式注射針分離機構４を備える。
注射針分離機構３１は、スリット３２と、第１挿入孔３３（請求項の挿入孔に相当）と、傾斜部３４と、を有する。
【００２２】
スリット３２は、板状部３０に開口した細長に伸びる切欠きである。スリット３２は、板状部３０の略長方形状の長辺方向に沿ってのびる。スリット３２は、その長辺方向の長さが限定されない。傾斜部３４の傾斜角により適宜決定できる。スリット３２は、その幅（板状部３０の長方形状の短辺方向の長さ）が、注射器６の注射針装着部６７の外径よりも長く形成されている。スリット３２の幅は、注射筒６４の外径よりも短いことが好ましい。スリット３２は、その幅が略一定となるように形成されている。
【００２３】
第１挿入孔３３は、スリット３２の長さ方向の一端部に形成された、板状部３０を貫通する孔である。第１挿入孔３３は、注射器６の注射針６０が挿入される孔である。第１挿入孔３３は、その開口形状（内周形状）が限定されるものではなく、円形（真円形〜だ円形）であることが好ましい。第１挿入孔３３は、その径が注射器６の注射針６０（特に、フランジ６３）の外径より大きな内径をもつ。
【００２４】
傾斜部３４は、蓋体３の板状部３０の上面に、スリット３２の幅方向の両端部に、板状部３０の上面３０ａから突出して設けられた部分である。傾斜部３４は、スリット３２の開口部の一部を区画する。傾斜部３４は、スリット３２の一端側から他端側に向かうにつれて上面３０ａからの突出量が増大するように傾斜して形成される。
【００２５】
傾斜部３４は、その上面３４ａに、凹凸を有する。凹凸は、長辺方向に沿って配列した複数の突起３５により形成される。突起３５は、長辺方向での断面形状が三角形状を有する。突起３５は、短辺方向に沿って伸びる断面形状が一定の突条を形成する。
【００２６】
突起３５は、図４に示すように、長辺方向に沿った断面での断面形状（三角形状）が、一端側の辺（３５Ａ）が他端側の辺（３５Ｂ）よりも長い三角形状となるように形成されている。
【００２７】
スリット３２の開口部の一端側の端部（第１挿入孔３３）近傍と他端側の端部近傍は、それぞれ平面をなすように形成されている。
【００２８】
蓋体３は、注射針分離機構３１、スクリュー式注射針分離機構４及びキャップ部５を形成できる材料であれば、その具体的な材料も限定されない。例えば、容器本体２の材料と同様に、取り外した注射針６０の針管６２が貫通しない樹脂や金属等の材料を例示できる。蓋体３は、取り外して回収した注射針６０を視認できる材料であること、すなわち半透明〜透明の樹脂よりなることが好ましい。本形態では、半透明の樹脂（具体的には、ＰＰ（ポリプロピレン））が用いられる。
【００２９】
スクリュー式注射針分離機構４は、注射針７０が注射筒７４の先端部に螺合して固定されるスクリュー式注射器７の注射針７０を注射筒７４から分離する機構である。
【００３０】
スクリュー式注射針分離機構４は、蓋体３の板状部３０に開口した第２挿入孔４０を有する。第２挿入孔４０は、フランジ７３の外周形状に対応した内周形状を有する。フランジ７３の外周形状に対応した内周形状とは、フランジ７３が挿入可能な形状であり、かつフランジ７３が第２挿入孔４０内で自由に回転することが規制された形状である。具体的には、第２挿入孔４０の内径のうち最小の内径が、フランジ７３の最大の外径よりも小さくなるように形成されている。本形態では、だ円形の内周形状に形成されている。
【００３１】
スクリュー式注射針分離機構４は、第２挿入孔４０の開口を区画する端縁部であって、蓋体３の板状部３０の下面３０ｂに、下方側（注射針回収容器１の内部側）に突出する突起部４１を有する。突起部４１は、第２挿入孔４０の開口形状に沿った環状に形成されている。突起部４１は、スクリュー式注射器７の注射針７０を挿入したときに、フランジ７３が当接するように形成されている。すなわち、突起部４１は、下面３０ｂからの突出高さが、フランジ７３が当接可能な長さで形成されている。本形態では、スクリュー式注射器７の注射針７０を第２挿入孔４０に挿入したときであって、注射筒７４の端面が板状部３０の上面に当接したときに、フランジ７３が第２挿入孔４０の内周面に当接可能な長さで形成されている。
【００３２】
キャップ部５は、スリット３２及び第１挿入孔３３を閉塞するキャップ５０と、キャップ５０と外周部３６とを接続する接続部５１と、第２挿入孔４０を閉塞するキャップ５２と、キャップ５２と外周部３６とを接続する接続部５３と、を有する。
【００３３】
キャップ５０は、スリット３２及び第１挿入孔３３を閉塞可能な形状に形成されている。キャップ５０は、傾斜部３４の上面３４ａの全面を被覆することが好ましい。キャップ５２は、第２挿入孔４０を閉塞可能な形状に形成されている。
【００３４】
キャップ５０及びキャップ５２は、スリット３２及び第１挿入孔３３又は第２挿入孔４０に挿入される挿入部を有し、この挿入部は、先端部に各孔よりも大径に広がるツメ部を有する。
【００３５】
接続部５１，５３は、蓋体３の外周部３６と一体に形成された、キャップ５０，５２を外周部３６から分離可能に接続する部分である。本形態の接続部５１，５３は、薄肉かつ幅が狭い帯状に形成された部分であり、キャップ５０，５２を手で切断可能（ねじ切り可能）に形成した部分である。
【００３６】
本形態のキャップ部５は、キャップ５０，５２を外周部３６の下方に一体に形成しているが、この位置に限定されない。板状部３０の上面３０ａから突出していたり、板状部３０の上面３０ａに沿って外周部３６の外周面から突出していたりしてもよい。
【００３７】
（使用方法）
（注射針分離機構）
本形態の注射針回収容器１の使用方法を説明する。本形態の注射針回収容器１は、注射器６の使用後に、注射針６０を注射筒６４から分離して回収する容器である。
【００３８】
注射器６は、図５に示したように、注射針６０と、注射筒６４と、を有する。注射器６は、その構成が公知の市販の注射器を用いる。
【００３９】
注射針６０は、針管６２と、先端部に針管６２を固定するとともに基端部にフランジ６３が形成された筒状の針基６１と、を有する。
【００４０】
注射筒６４は、円筒形のシリンジ６５と、シリンジ６５内を押し込まれる可動式のプランジャ６６と、シリンジ６５の先端部に設けられた筒状の注射針装着部６７（請求項の先端部に相当）と、を有する。注射針装着部６７は、針基６１に着脱可能に嵌入して組み付けられる。
【００４１】
注射器６の使用後、注射器６の注射針６０を注射針回収容器１の蓋体３の第１挿入孔３３に挿入する。本形態では、第１挿入孔３３が注射筒６４の外径よりも小径に形成されており、第１挿入孔３３に注射針６０を挿入すると、注射筒６４が蓋体３の板状部３０に当接し、それ以上の挿入が規制される。このとき、注射器６のフランジ６３は、図６に示したように、蓋体３の板状部３０の下面３０ｂよりも下方側（注射針回収容器１の内部側）に位置する。このとき、注射器６は、蓋体３の板状部３０の上面３０ａに対して、略垂直な状態が維持される。
【００４２】
そして、第１挿入孔３３に注射針６０が挿入された状態で、注射器６をスリット３２の一端側から他端側に向けて変位する（すなわち、長辺方向に沿って変位する）。
【００４３】
注射器６がスリット３２に沿って他端側に変位すると、注射筒６４の先端面と注射針６０のフランジ６３との間に、傾斜部３４が相対的に挿入される。
【００４４】
注射器６がスリット３２に沿って他端側に更に変位すると、注射筒６４の先端面に傾斜部３４の上面３４ａと当接し、注射針６０のフランジ６３に板状部３０の下面３０ｂと当接する。
【００４５】
注射器６がスリット３２に沿って他端側に更に変位していくと、注射筒６４の先端面が傾斜部３４の上面３４ａに案内され、板状部３０の下面３０ｂ（すなわち、注射針６０のフランジ６３）との間隔が広がっていく。
【００４６】
そして、間隔が十分に広がると、図７に示したように、注射針６０が注射器６（注射針装着部６７）から外れて、注射針回収容器１の内部に落下し、回収される。このとき、注射針６０は、鉛直方向の下方に落下するため、注射針６０が注射針回収容器１の外部に向けて飛び出さない。
【００４７】
以上のように、本形態の注射針回収容器１は、第１挿入孔３３に注射針６０を挿入した状態で、注射器６をスリット３２の一端側から他端側に向けて変位することで注射器６から注射針６０を取り外して回収できる。
【００４８】
（スクリュー式注射針分離機構）
本形態の注射針回収容器１のスクリュー式注射針分離機構４の使用方法を説明する。スクリュー式注射針分離機構４は、スクリュー式注射器７の使用後に、注射針７０を注射筒７４から分離して回収する機構である。
【００４９】
スクリュー式注射器７は、図８に示したように、注射針７０と、注射筒７４と、を有する。スクリュー式注射器７の特に言及しない構成は、注射器６と同様な構成である。
【００５０】
注射針７０は、先端部に針管７２を固定する筒状の針基７１の内周面に、注射筒７４の先端部に螺合するねじ部が形成されている。針基７１の基端部にフランジ７３が形成されている。フランジ７３は、図９に上面図（針基７１の基端側から見た図）で示したように、その外周形状が略だ円形状（非円形の形状）をなすように形成されている。より具体的には、周方向で互いに背向する方向（１８０°の方向）で径方向外方に向かって広がる略だ円形状の外周形状を有する。
【００５１】
注射筒７４は、シリンジ７５の先端部に設けられた筒状の注射針装着部７７（請求項の先端部に相当）の外周面に、針基７１に螺合するねじ部が形成されている。注射針装着部７７は、針基７１に着脱可能に螺合して組み付けられる（固定される）。
【００５２】
スクリュー式注射器７の使用後、スクリュー式注射器７の注射針７０を注射針回収容器１の蓋体３の第２挿入孔４０に挿入する。スクリュー式注射器７は、注射針７０が第２挿入孔４０に挿入される。スクリュー式注射器７は、注射筒７４の先端面が板状部３０の上面３０ａに当接するまで挿入される。
【００５３】
そして、第２挿入孔４０に注射針７０が挿入された状態で、スクリュー式注射器７を回転する。スクリュー式注射器７が回転すると、図１０及び図１１に示したように、フランジ７３が第２挿入孔４０の内周面に当接する。この状態となると、注射針７０がそれ以上回転することが規制される。なお、図１０は上面図で、図１１は図１０中のＸＩ−ＸＩ線での部分断面図で、それぞれ示した。
【００５４】
スクリュー式注射器７（注射筒７４）が更に回転すると、注射針７０が固定した状態で注射筒７４のみが回転し、注射針７０と注射筒７４とのネジ固定が緩んでいく。
【００５５】
スクリュー式注射器７が更に回転すると、注射針７０が注射筒７４から外れ、注射針回収容器１の内部に鉛直方向に落下し、注射針７０が回収される。
【００５６】
以上のように、本形態の注射針回収容器１は、第２挿入孔４０に注射針７０を挿入した状態で、スクリュー式注射器７を回転させるだけでスクリュー式注射器７から注射針７０を取り外して回収できる。
【００５７】
（注射針の廃棄）
上記のように注射針６０，７０を回収し終わったら、注射針回収容器１内の注射針６０，７０を廃棄する。
【００５８】
まず、蓋体３からキャップ５０，５２を取り外す。キャップ５０，５２を取り外しは、各キャップ５０，５２を手でもち、接続部５１，５３でねじ切ることで行う。
【００５９】
取り外したキャップ５０は、挿入部をスリット３２及び第１挿入孔３３に押し込んで挿入する。挿入部が押し込まれると、注射針回収容器１の内部でツメ部が広がり、キャップ５０のツメ部が板状部３０の下面３０ｂに係合し、キャップ５０が抜けなくなる。
同様にキャップ５２を押し込んで挿入し、キャップ５２を固定する。
【００６０】
蓋体３の各孔３２，３３，４０をキャップ５０，５２で閉塞したら、注射針回収容器１を廃棄する。
以上により、本形態の注射針回収容器１は、安全に廃棄できる。
【００６１】
（効果）
本形態の注射針回収容器１は、先端部に針管６２を固定するとともに基端部にフランジ６３が形成された筒状の針基６１を有する注射針６０と、針基６１に着脱可能に嵌入する注射針装着部６７（先端部）を有する注射筒６４と、を備えた注射器６の使用後に、注射針６０を注射筒６４から分離して回収する注射針回収容器１である。注射針回収容器１は、槽状の容器本体２と、容器本体２の開口を閉塞する蓋体３と、を有しする。蓋体３は、細長にのびるスリット３２と、スリット３２の長さ方向の一端部に形成された、注射針６０が挿入される第１挿入孔３３と、蓋体３のスリット３２の幅方向の端部に設けられた、スリット３２の一端側から他端側に向かうにつれて上面からの突出量が増大するように形成され、第１挿入孔３３に注射針６０が挿入された状態でスリット３２の一端側から他端側に向けて注射器６が変位したときに、注射筒６４と注射針６０のフランジ６３との間に介在して、注射筒６４と注射針６０の間隔を広げて分離する傾斜部３４と、を備える。そして、傾斜部３４は、その上面に凹凸が形成されている。
【００６２】
本形態の注射針回収容器１は、傾斜部３４の上面３４ａに、突起３５により形成された凹凸を有する。この凹凸により、注射器６を一端側から他端側に向けて変位させているときに、突起３５を超えて戻ることが抑えられ、注射器６が一端側にズレることが規制される。本形態では、複数の突起３５が設けられており、注射器６が一端側にズレることが複数箇所で規制される。
【００６３】
さらに、本形態の注射針回収容器１は、断面三角形状の突起３５を有することで、注射器６を一端側から他端側に向けて変位させている途中で注射器６を一端側に傾斜することで、注射針６０を注射筒６４から外すことも可能となる。具体的には、注射器６が突起３５を超えて変位してから注射器６を一端側に傾斜すると、傾斜部３４が注射筒６４の先端面と注射針６０のフランジ６３との間隔を更に押し広げ、注射器６から注射針６０が脱落する。すなわち、より確実に注射針６０を注射筒６４から外して回収できる。さらに、注射器６を一端側に傾斜すると、スリット３２及び第１挿入孔３３を注射器６が塞ぐようになる。そうすると、注射針回収容器１内に落下した注射針６０及び／又は注射針６０に付着した液体が、注射針回収容器１内ではねたとしても、スリット３２及び第１挿入孔３３を通過して外部に出ることが注射器６により規制される。このため、注射器６を操作する手にこれらが当たらなくなり、より安全に注射針６０を回収できる。
【００６４】
以上のように、本形態の注射針回収容器１は、注射器６に大きな力を加え続ける必要がなくなり、簡単な操作で注射針６０を注射筒６４から外して回収できる。
【００６５】
また、本形態の注射針回収容器１は、容器本体２の下面に滑り止め部材２０として両面粘着テープが設けられている。この滑り止め部材２０（両面粘着テープ）により、注射針６０を取り外すときに注射針回収容器１（すなわち、容器本体２）がズレることが抑えられる。この結果、注射針回収容器１を支持することなく、片手で注射器６を操作して注射針６０を取り外すことができる。すなわち、本形態の注射針回収容器１は、簡単な操作で注射針６０を注射筒６４から外して回収できる。
【００６６】
本形態の注射針回収容器１は、スクリュー式注射器７の注射針７０を注射筒７４から分離するスクリュー式注射針分離機構４を蓋体３に更に有する。この構成により、注射針６０が注射筒６４の注射針装着部６７（先端部）に嵌入した注射器６の注射針６０だけでなく、注射針７０と注射筒７４とが螺合して固定されたスクリュー式注射器７の注射針７０を外して回収できる。すなわち、注射器６の注射針６０と、スクリュー式注射器７の注射針７０とを回収するための回収容器をそれぞれ準備するという手間やスペースの無駄がなくなる。
【００６７】
本形態の注射針回収容器１は、スクリュー式注射針分離機構４が、蓋体３に開口した、フランジ７３の外周形状に対応した非円形の内周形状を有する第２挿入孔４０を有し、スクリュー式注射器７の使用後に、スクリュー式注射器７のフランジ７３が第２挿入孔４０の内周面に当接可能な状態で、スクリュー式注射器７を回転して注射針７０を分離する構成である。スクリュー式注射器７は、先端部に針管を固定するとともに基端部に非円形の外周形状のフランジ７３が形成された筒状の針基７１を有する注射針７０と、針基７１に着脱可能に螺合する注射針装着部７７（先端部）を有する注射筒７４と、を備える。この構成を有することで、簡単な構成でスクリュー式注射器７の注射針７０を外して回収することができる。
【００６８】
本形態の注射針回収容器１は、蓋体３が、切り離されて注射器６，７が挿入する孔３２，３３，４０を閉塞するキャップ５０，５２となる部分を備えたキャップ部５を有する。この構成によると、注射針回収容器１で注射針６０，７０を回収した後に廃棄するときに、別途キャップを準備する必要がなくなる。また、注射針回収容器１で注射針６０，７０を回収しているときに（使用時に）、キャップを紛失することがなくなる。
【００６９】
［実施形態２］
上記の形態では、傾斜部３４の上面３４ａの突起３５は、長辺方向に垂直な方向に沿って伸びる突条で形成されているが、この形状に限定されない。例えば、長辺方向に対して９０度未満の傾斜角をなすように形成していてもよい。
また、突起３５は、直線状にのびているだけでなく、曲線状に伸びていてもよい。
これらの形態であっても、上記の形態と同様な効果を発揮する。
【符号の説明】
【００７０】
１：注射針回収容器、２：容器本体、２０：滑り止め部材、３：蓋体、３０：板状部、３１：注射針分離機構、３２：スリット、３３：第１挿入孔、３４：傾斜部、３５：突起、３６外周部、４：スクリュー式注射針分離機構、５：キャップ部、６：注射器、６０：注射針、６４：注射筒、７：スクリュー式注射器、７０：注射針、７４：注射筒。
【図１】
0003232199.tif 000003
【図２】
0003232199.tif 000004
【図３】
0003232199.tif 000005
【図４】
0003232199.tif 000006
【図５】
0003232199.tif 000007
【図６】
0003232199.tif 000008
【図７】
0003232199.tif 000009
【図８】
0003232199.tif 000010
【図９】
0003232199.tif 000011
【図１０】
0003232199.tif 000012
【図１１】
0003232199.tif 000013